(57)【要約】【課題】自転車の載置具である子供乗せサイクルチェアー並びに、物入れ具のバスケット及びキャリアを回動することにより、サドルカバーを兼ねられる載置具並びにキャリアを提供する。【解決手段】載置具１を固定体部２と回転体部３とに分割し、固定体部１は自転車のキャリア６に固定し、その固定体部２に回動自在に回動体部３を軸着する。又、自転車のステー９より突設した固定アーム１０と周縁枠５の適宜部に回動アーム８を軸着する。【選択図】  図５
2006076549.tif 000002
【特許請求の範囲】
【請求項１】
自転車のサドル７の後方適宜位置に、分割した一方の固定体部２を固定し、その固定体部２の適宜位置に他方の回動体部３を回動自在に軸着し、更に適宜面を防水性材４とすることを特徴とするサドルカバー兼用の載置具。
【請求項２】
自転車のサドル７の後方適宜位置に突設した固定アーム１０に回動アーム８の一端を軸止し、他端を防水性材４を展着した周縁枠５の後方短辺適宜部に軸止し、前方短辺所定位置より長手方向が扇状に漸大することを特徴とするサドルカバー兼用のキャリア。
【発明の詳細な説明】
【技術分野】
【０００１】  本発明は、自転車のサドルカバーを兼ねるキャリアやキャリアに載置する、子供乗せサイクルチェアー及び物入れ具などの載置具に関する。
【背景技術】
【０００２】  従来、自転車の荷物を乗せるキャリアや、自転車の載置具である子供乗せサイクルチェアー及び物入れ具は自転車に固定して取り付けられていた。
【発明の開示】
【発明が解決しようとする課題】
【０００３】  ところが、上記キャリアや載置具は、他の用途には使用されず効果が非常に悪く、又、屋外での駐輪では外気に汚れたり、雨天の場合は雨に濡れるなど拭き取るのは非常に面倒であった。【０００４】  又、自転車のサドルも同様で、汚れや濡れの防止対策として買物入れ用のビニール袋を被せていたが、面倒であった。【０００５】  本発明は、斯かる事情に鑑みてなされたもので、従来の前記問題を一挙に解決することが出来る自転車のサドルカバーを兼ねるキャリア並びに載置具を提供することを目的とする。
【課題を解決するための手段】
【０００６】  前記目的を達成するために、請求項１の発明は、自転車のサドル後方適宜位置に分割した一方の固定体部を固定し、その固定体部の適宜位置に他方の回動体部を回動自在に軸着し、更に適宜面を防水性材とすることを特徴とする。【０００７】  この特徴によれば、載置具を固定体部と回動体部に分割し、固定体部は自転車のキャリアに固定し、回動体部は回動自在に固定体部の適宜位置に軸着する。これにより、回動体部をサドル位置迄回転させることにより回動体部はサドルを被った状態となり、サドルカバーとしての機能を果たし、汚れや雨天の場合の濡れを防ぐ。【０００８】  又、請求項２の発明は、自転車のサドル後方適宜位置に突設した固定アームに回動アームの一端を軸止し、他端を防水性材を展着した周縁枠の後方短辺適宜部に軸止し、前方短辺所定位置より長手方向が扇状に漸大することを特徴とする。【０００９】  この特徴によれば、キャリアとなる周縁枠には防水性材が展着され、周縁枠後方の短辺部略中心位置には、突設した固定アームに軸止した回動アームが軸止され、この回動アームの回動軌道を得てサドルを被う位置へと移動しサドルカバーとなる。この時、周縁枠は扇状となる。この周縁材の扇状となる漸大方法は、つまみ操作でも外力を与えても弾性材を使用しても良い。【００１０】  又、周縁枠の長平方向は通常略平行状で、展着された防水性材が長平方向に折り畳まれた状態になっている。【００１１】  尚、本発明の「載置具」とは自転車用子供乗せサイクルチェアーと物入れ具を指し、「物入れ具」とは自転車のキャリアに載置される荷物を入れる箱状の入れ物を指し、バスケットや背もたれも含む。「防水性材」とは防水シート、プレート等防水性のものであれば材質を問わない。
【発明の効果】
【００１２】  以上のように請求項１の発明によれば、サドルカバー兼用の載置具は適宜面を防水性材とし、更に固定体部と回動体部に分割し固定体部は従来の自転車のキャリアに固定し、その固定体部の適宜位置に回動体部を軸着している。これにより回動体部をサドル側へ回転させるとサドルを覆い被せた状態となり、サドルカバーとして使用できる。更には、載置具の内面の汚れ防止ともなり、非常に便利である。【００１３】  又、請求項２の発明によれば、防水性材を展着したキャリアである周縁枠の後方短辺には回動アームが軸着され、この回動アームを半径として周縁枠はキャリア位置とサドルカバー位置とを移動する。前方短辺部をサドル側上方に引き上げると、キャリアはサドルを被う位置まで移動し、サドルカバーとして使用が出来る。この時、キャリアのサドルカバーとしての形状は扇状となるが、通常は、周縁枠は長平方向に平行状で、防水性材は折り畳まれた状態になっている。【００１４】  復帰は逆工程を辿れば従来の用途として使用出来、回動体部とキャリア部には対応する係止具によりロックされる。【００１５】  このように簡単な構造で煩わしさもなく、非常に便利なサドルカバーを兼ねた載置具並びにキャリアを提供することが出来る。
【発明を実施するための最良の形態】
【００１６】  本発明の実施の形態を添付図面に例示した本発明の実施に基づいて以下に具体的に説明する。【００１７】  添付図面において、図１及び図２は本発明の一実施例に係る載置具である子供乗せサイクルチェアー及び物入れ具の斜視図、図３・図４はキャリアの斜視図で、二点鎖線はサドルカバーとした時の状態図。図５・図６は載置具をキャリアに載置した状態を示す正面図で、二点鎖線はサドルカバーとしての状態位置を示している。【００１８】  先ず、図１・図２は載置具１を固定体部２と回動体部３とに分割し、回動体部３は固定体部２に軸着されている。これにより回動体部３はサドル７を覆被する位置迄回転する。又、載置具１がメッシュ状材や線状材の物で編んだようなものは適宜面に防水材４が展着されている。【００１９】  次に図３・図４で防水性材４を展着した周縁枠５は、前方短辺中心部では重合して軸止され後方短辺は衝合状態にあり、適宜部に回動アームが軸止されていて、防水性材４は折り畳んだ状態にある。【００２０】  防水性材４を展着した長方形状の周縁枠５にすると、周縁枠５は２枚となり重合され、前方短辺中央部で軸着され、重合された一方の後方短辺中央部には回動アーム８が軸着され、又、枠にはそれぞれコの字状に防水性材４が周設されている。キャリア６としての形状は長方形状でありサドルカバーとした場合の形状は略扇形状となり略サドルの形状になっている。【００２１】  キャリア６は回動アーム８を介してサドルを覆被する位置に移動、サドルカバーとして使用出来、このときの形状は扇形状に漸大する。【００２２】  図５・図６において、自転車のキャリア６に載置された載置具１は、固足体部２と回動体部３よりなり、通常はその用途に使用され、回動体部３をサドル７の位置迄回転させるとサドル７を覆被しサドルカバーとして使用出来る。【００２３】  このように載置具１を固定体部２と固定体部３とに分離することにより、用途を拡大することが出来、非常に便利な載置具１及びキャリア６を提供することが出来る。【００２４】  以上、本発明の実施例について説明したが、本発明はその実施例に限定されるこはなく、本発明の範囲内で種々の実施例が可能である。例えば、回動体部とキャリア部には対応する係止具によりロックされるとあるが、回動体部と固定体部とに対応する係止具を付けても良い。又、キャリアとなる枠に防水性材を展着するとしたが、プレートで形成しても良い。キャリアを不用としてカバー専用とする場合は、色々な形状が可能である。又、最近は背もたれ付きの自転車もあり、この背もたれを回動させることによりサドルカバー兼用と出来、用途を拡大することが出来る。
【図面の簡単な説明】
【００２５】
【図１】本発明の一実施例に係る自転車の載置具である子供乗せサイクルチェアーの斜視図
【図２】載置具の物入れ具でバスケットの斜視図
【図３】自転車キャリアの斜視図で二点鎖線はサドルカバーとした時の形状を示す。
【図４】図３の他例を示す斜視図で二点鎖線はサドルカバーとした時の形状を示す。
【図５】自転車に載置された状態を示すサイクルチェアーの正面図で、二点鎖線は移動しサドルカバーとした状態を示す正面図
【図６】自転車に載置された状態を示すバスケットの正面図で、二点鎖線は移動しサドルカバーとした状態を示す正面図
【符号の説明】
【００２６】  １．．．．．載置具
２．．．．．固定体部
３．．．．．回動体部
４．．．．．防水性材
５．．．．．周縁枠
６．．．．．キャリア
７．．．．．サドル
８．．．．．回動アーム
９．．．．．ステー
１０．．．．．固定アーム
【図１】
2006076549.tif 000003
【図２】
2006076549.tif 000004
【図３】
2006076549.tif 000005
【図４】
2006076549.tif 000006
【図５】
2006076549.tif 000007
【図６】
2006076549.tif 000008